【手続補正書】
【提出日】平成19年1月17日(2007.1.17)
【手続補正１】
【補正対象書類名】明細書
【補正対象項目名】特許請求の範囲
【補正方法】変更
【補正の内容】
【特許請求の範囲】
【請求項１】  紫外線発生源が収納されたカバー筐体と、
上記カバー筐体に沿って殺菌対象物を移動させる対象物移動手段と、を備えた紫外線殺菌装置において、
上記カバー筐体は、上記紫外線発生源から放射される紫外線を外に放出する開口部が設けられた枠部材と、この枠部材の上記開口部を覆う紫外線の透過が可能な紫外線透過性樹脂製の被覆部材と、を設けてなることを特徴とする紫外線殺菌装置。
【請求項２】  上記枠部材は少なくとも一面に上記開口部が設けられた直方体からなり、上記被覆部材は、上記枠部材に嵌合することにより上記開口部を覆う筒体、又は、上記枠部材に装着して包み込むことにより上記開口部を覆うシート材からなることを特徴とする請求項１記載の紫外線殺菌装置。
【請求項３】  上記カバー筐体は、一面に上記開口部が設けられ且つ他の三面に多数の開口穴が設けられた直方体からなる枠部材と、この枠部材の上記開口部に着脱可能に取り付けられたカバー部材と、上記枠部材の多数の上記開口穴を覆う第１の被覆部材と、上記カバー部材を覆う第２の被覆部材とを設けてなることを特徴とする請求項１記載の紫外線殺菌装置。
【請求項４】  上記枠部材の内側には、上記紫外線発生源から放射される紫外線の一部を反射させると共に当該紫外線の残部を外に放出する多数の開口穴を有する反射板を配置して設けたことを特徴とする請求項１記載の紫外線殺菌装置。
【請求項５】  上記枠部材には、エアー発生装置に接続される配管用の接続パイプを設け、上記接続パイプを介して当該枠部材内にエアーを通過させるようにしたことを特徴とする請求項１記載の紫外線殺菌装置。
【請求項６】  殺菌対象物を搬送するコンベヤと、
上記コンベヤが通過するトンネル構造の殺菌室と、
上記殺菌室内に着脱可能に装着されて上記コンベヤに沿って設置されるカバー筐体と、
上記カバー筐体内に収納され且つ上記コンベヤによって搬送される上記殺菌対象物に向けて紫外線を放射する紫外線発生源と、を備えた紫外線殺菌装置において、
上記カバー筐体は、上記紫外線発生源から放射される紫外線を外に放出する開口部が設けられた枠部材と、この枠部材の上記開口部を覆う紫外線の透過が可能な紫外線透過性樹脂製の被覆部材と、を設けてなることを特徴とする紫外線殺菌装置。
【請求項７】  上記枠部材は少なくとも一面に上記開口部が設けられた直方体からなり、上記被覆部材は、上記枠部材に嵌合することにより上記開口部を覆う筒体、又は、上記枠部材に装着して包み込むことにより上記開口部を覆うシート材からなることを特徴とする請求項６記載の紫外線殺菌装置。
【請求項８】  上記カバー筐体は、一面に上記開口部が設けられ且つ他の三面に多数の開口穴が設けられた直方体からなる枠部材と、この枠部材の上記開口部に着脱可能に取り付けられたカバー部材と、上記枠部材の多数の上記開口穴を覆う第１の被覆部材と、上記カバー部材を覆う第２の被覆部材と、を設けてなることを特徴とする請求項６記載の紫外線殺菌装置。
【請求項９】  上記枠部材の内側には、上記紫外線発生源から放射される紫外線の一部を反射させると共に当該紫外線の残部を外に放出する多数の開口穴を有する反射板を配置して設けたことを特徴とする請求項６記載の紫外線殺菌装置。
【請求項１０】  上記殺菌室には、上面に開口する開口部と、この開口部を開閉可能な上面板とを設け、この上面板に上記カバー筐体を支持する筐体ホルダを設けたことを特徴とする請求項６記載の紫外線殺菌装置。
【請求項１１】  上記筐体ホルダには複数のフック部を設けると共に上記カバー筐体には上記フック部に着脱可能に係合される係合ピンを設け、上記複数のフック部に対する上記係合ピンの係合位置を変えることによってカバー筐体の取付位置を調整可能としたことを特徴とする請求項１０記載の紫外線殺菌装置。
【手続補正２】
【補正対象書類名】明細書
【補正対象項目名】００１５
【補正方法】変更
【補正の内容】
【００１５】
【課題を解決するための手段】
上述したような課題等を解決し、上記目的を達成するために、本出願の請求項１記載の紫外線殺菌装置は、紫外線発生源が収納されたカバー筐体と、このカバー筐体に沿って殺菌対象物を移動させる対象物移動手段と、を備えた紫外線殺菌装置において、カバー筐体は、紫外線発生源から放射される紫外線を外に放出する開口部が設けられた枠部材と、この枠部材の開口部を覆う紫外線の透過が可能な紫外線透過性樹脂製の被覆部材と、を設けてなることを特徴としている。
【手続補正３】
【補正対象書類名】明細書
【補正対象項目名】００１６
【補正方法】変更
【補正の内容】
【００１６】
本出願の請求項２記載の紫外線殺菌装置は、枠部材は少なくとも一面に開口部が設けられた直方体からなり、被覆部材は、枠部材に嵌合することにより開口部を覆う筒体、又は、枠部材に装着して包み込むことにより開口部を覆うシート材からなることを特徴としている。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
本出願の請求項３記載の紫外線殺菌装置は、カバー筐体は、一面に開口部が設けられ且つ他の三面に多数の開口穴が設けられた直方体からなる枠部材と、この枠部材の開口部に着脱可能に取り付けられたカバー部材と、枠部材の多数の開口穴を覆う第１の被覆部材と、カバー部材を覆う第２の被覆部材と、を設けてなることを特徴としている。
【手続補正６】
【補正対象書類名】明細書
【補正対象項目名】００１９
【補正方法】変更
【補正の内容】
【００１９】
本出願の請求項４記載の紫外線殺菌装置は、枠部材の内側には、紫外線発生源から放射される紫外線の一部を反射させると共に紫外線の残部を外に放出する多数の開口穴を有する反射板を配置して設けたことを特徴としている。
本出願の請求項５記載の紫外線殺菌装置は、枠部材には、エアー発生装置に接続される配管用の接続パイプを設け、その接続パイプを介して枠部材内にエアーを通過させるようにしたことを特徴としている。
【手続補正７】
【補正対象書類名】明細書
【補正対象項目名】００２１
【補正方法】変更
【補正の内容】
【００２１】
本出願の請求項７記載の紫外線殺菌装置は、枠部材は少なくとも一面に開口部が設けられた直方体からなり、被覆部材は、枠部材に嵌合することにより開口部を覆う筒体、又は、枠部材に装着して包み込むことにより開口部を覆うシート材からなることを特徴としている。
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】変更
【補正の内容】
【００２３】
本出願の請求項８記載の紫外線殺菌装置は、カバー筐体は、一面に開口部が設けられ且つ他の三面に多数の開口穴が設けられた直方体からなる枠部材と、この枠部材の開口部に着脱可能に取り付けられたカバー部材と、枠部材の多数の開口穴を覆う第１の被覆部材と、カバー部材を覆う第２の被覆部材と、を設けてなることを特徴としている。
【手続補正１０】
【補正対象書類名】明細書
【補正対象項目名】００２４
【補正方法】変更
【補正の内容】
【００２４】
本出願の請求項９記載の紫外線殺菌装置は、枠部材の内側には、紫外線発生源から放射される紫外線の一部を反射させると共に紫外線の残部を外に放出する多数の開口穴を有する反射板を配置して設けたことを特徴としている。
【手続補正１１】
【補正対象書類名】明細書
【補正対象項目名】００２５
【補正方法】変更
【補正の内容】
【００２５】
本出願の請求項１０記載の紫外線殺菌装置は、殺菌室には、上面に開口する開口部と、この開口部を開閉可能な上面板とを設け、この上面板にカバー筐体を支持する筐体ホルダを設けたことを特徴としている。
【手続補正１２】
【補正対象書類名】明細書
【補正対象項目名】００２６
【補正方法】変更
【補正の内容】
【００２６】
本出願の請求項１１記載の紫外線殺菌装置は、筐体ホルダには複数のフック部を設けると共にカバー筐体にはフック部に着脱可能に係合される係合ピンを設け、複数のフック部に対する係合ピンの係合位置を変えることによってカバー筐体の取付位置を調整可能としたことを特徴としている。
【手続補正１３】
【補正対象書類名】明細書
【補正対象項目名】００２８
【補正方法】変更
【補正の内容】
【００２８】
本出願の請求項２記載の紫外線殺菌装置では、直方体の枠部材に筒状の被覆部材を被せるか、又は、シート材で包み込むことにより、被覆部材を枠部材に簡単に装着することができ、収納された紫外線発生源が破損したときにその破片や異物が外に飛び出すことのない安全性の高いカバー筐体を構成することができる。
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】変更
【補正の内容】
【００３０】
本出願の請求項３記載の紫外線殺菌装置では、直方体の枠部材にカバー部材が着脱可能に取り付けられていると共に、これら枠部材及びカバー部材が被覆部材によって覆われているため、それぞれを被覆部材で覆った状態のままカバー部材を開閉させることができ、カバー筐体に収納された紫外線発生源の交換作業を簡単且つ迅速に行うことができる。
【手続補正１６】
【補正対象書類名】明細書
【補正対象項目名】００３１
【補正方法】変更
【補正の内容】
【００３１】
本出願の請求項４記載の紫外線殺菌装置では、枠部材の内側に反射板が配置されているため、殺菌対象物から離れる方向に放射された紫外線を殺菌対象物側に反射させて紫外線による殺菌効率を高めることができると共に、一部の紫外線は殺菌対象物から離れる方向にそのまま放射させて殺菌対象物と反対側に位置する壁部等の紫外線殺菌を同時に行うことができる。
本出願の請求項５記載の紫外線殺菌装置では、枠部材に設けた配管用の接続パイプにエアー発生装置を接続し、その接続パイプを介して枠部材内にエアーを通過させることにより、紫外線ランプ等から発生する熱をランプハウジングの外に排出し、ランプハウジング内を強制的に冷却することができる。
【手続補正１７】
【補正対象書類名】明細書
【補正対象項目名】００３３
【補正方法】変更
【補正の内容】
【００３３】
本出願の請求項７記載の紫外線殺菌装置では、直方体の枠部材に筒状の被覆部材を被せるか、又は、シート材で包み込むことにより、被覆部材を枠部材に簡単に装着することができ、収納された紫外線発生源が破損したときにその破片や異物が外に飛び出すことのない安全性の高いカバー筐体を構成することができる。
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】変更
【補正の内容】
【００３５】
本出願の請求項８記載の紫外線殺菌装置では、直方体の枠部材にカバー部材が着脱可能に取り付けられていると共に、これら枠部材及びカバー部材が被覆部材によって覆われているため、それぞれを被覆部材で覆った状態のままカバー部材を開閉させることができ、カバー筐体に収納された紫外線発生源の交換作業を簡単且つ迅速に行うことができる。
【手続補正２０】
【補正対象書類名】明細書
【補正対象項目名】００３６
【補正方法】変更
【補正の内容】
【００３６】
本出願の請求項９記載の紫外線殺菌装置では、枠部材の内側に反射板が配置されているため、殺菌対象物から離れる方向に放射された紫外線を殺菌対象物側に反射させて紫外線による殺菌効率を高めることができると共に、一部の紫外線は殺菌対象物から離れる方向にそのまま放射させて殺菌対象物と反対側に位置する壁部等の紫外線殺菌を同時に行うことができる。
【手続補正２１】
【補正対象書類名】明細書
【補正対象項目名】００３７
【補正方法】変更
【補正の内容】
【００３７】
本出願の請求項１０記載の紫外線殺菌装置では、殺菌室の開口部を開閉可能な上面板に筐体ホルダが設けられているため、上面板を着脱することによってカバー筐体を殺菌室の所定位置に取り付けたり、取り外したりすることができ、紫外線発生源の交換等のメンテナンス作業を簡単に行うことができる。
【手続補正２２】
【補正対象書類名】明細書
【補正対象項目名】００３８
【補正方法】変更
【補正の内容】
【００３８】
本出願の請求項１１記載の紫外線殺菌装置では、筐体ホルダに複数のフック部を設けると共にカバー筐体に係合ピンを設け、複数のフック部に対する係合ピンの係合位置を変えることにより、殺菌対象物の高さに応じてカバー筐体の高さ調整をワンタッチ操作で簡単に行うことができる。
【手続補正２３】
【補正対象書類名】明細書
【補正対象項目名】００５７
【補正方法】変更
【補正の内容】
【００５７】
このランプハウジング４６の上面部４６ａの長手方向両側に連続する前後の側面部４６ｃ，４６ｃの中央下部には、ＰＥＴボトル３０の口部３０ｃを通過させるための切欠き５３がそれぞれ設けられている。更に、各側面部４６ｃの切欠き５３の片側には、配管用の接続パイプ５４がそれぞれ取り付けられている。これらの接続パイプ５４には、それぞれ図示しないエアー配管を介してエアー発生装置が接続される。エアー発生装置から供給されるエアーは、一方の入口用の接続パイプ５４からランプハウジング４６内に入り込み、このランプハウジング４６内を通過して紫外線ランプ４５等から発生する熱を吸収する。熱交換されて温められたエアーは、他方の出口用の接続パイプ５４からランプハウジング４６の外に排出され、このようにしてランプハウジング４６内は強制的に冷却される。
【手続補正２４】
【補正対象書類名】明細書
【補正対象項目名】０１１０
【補正方法】変更
【補正の内容】
【０１１０】
本出願の請求項２記載の紫外線殺菌装置によれば、直方体の枠部材に筒状の被覆部材を被せるか、又は、シート材で包み込む構成としたため、被覆部材を枠部材に簡単に装着することができ、収納された紫外線発生源が破損したときにその破片や異物が外に飛び出すことのない安全性の高いカバー筐体を備えた紫外線殺菌装置を提供することができるという効果が得られる。
【手続補正２５】
【補正対象書類名】明細書
【補正対象項目名】０１１１
【補正方法】削除
【補正の内容】
【手続補正２６】
【補正対象書類名】明細書
【補正対象項目名】０１１２
【補正方法】変更
【補正の内容】
【０１１２】
本出願の請求項３記載の紫外線殺菌装置によれば、直方体の枠部材にカバー部材を着脱可能に取り付けると共に、これら枠部材及びカバー部材を被覆部材によって被覆する構成としたため、それぞれを被覆部材で覆った状態のままカバー部材を開閉させることができ、カバー筐体に収納された紫外線発生源の交換作業を簡単且つ迅速に行うことができる紫外線殺菌装置を提供することができるという効果が得られる。
【手続補正２７】
【補正対象書類名】明細書
【補正対象項目名】０１１３
【補正方法】変更
【補正の内容】
【０１１３】
本出願の請求項４記載の紫外線殺菌装置によれば、枠部材の内側に反射板を配置する構成としたため、殺菌対象物から離れる方向に放射された紫外線を殺菌対象物側に反射させて紫外線による殺菌効率を高めることができると共に、一部の紫外線は殺菌対象物から離れる方向にそのまま放射させて殺菌対象物と反対側に位置する壁部等の紫外線殺菌を同時に行うことができる紫外線殺菌装置を提供することができるという効果が得られる。
本出願の請求項５記載の紫外線殺菌装置では、枠部材に設けた配管用の接続パイプにエアー発生装置を接続し、その接続パイプを介して枠部材内にエアーを通過させることにより、紫外線ランプ等から発生する熱をランプハウジングの外に排出し、ランプハウジング内を強制的に冷却することができる。
【手続補正２８】
【補正対象書類名】明細書
【補正対象項目名】０１１５
【補正方法】変更
【補正の内容】
【０１１５】
本出願の請求項７記載の紫外線殺菌装置によれば、直方体の枠部材に筒状の被覆部材を被せるか、又は、シート材で包み込む構成としたため、被覆部材を枠部材に簡単に装着することができ、収納された紫外線発生源が破損したときにその破片や異物が外に飛び出すことのない安全性の高いカバー筐体を備えた紫外線殺菌装置を提供することができるという効果が得られる。
【手続補正２９】
【補正対象書類名】明細書
【補正対象項目名】０１１６
【補正方法】削除
【補正の内容】
【手続補正３０】
【補正対象書類名】明細書
【補正対象項目名】０１１７
【補正方法】変更
【補正の内容】
【０１１７】
本出願の請求項８記載の紫外線殺菌装置によれば、直方体の枠部材にカバー部材を着脱可能に取り付け、これら枠部材及びカバー部材を被覆部材によって被覆する構成としたため、それぞれを被覆部材で覆った状態のままカバー部材を開閉させることができ、カバー筐体に収納された紫外線発生源の交換作業を簡単且つ迅速に行うことができる紫外線殺菌装置を提供することができるという効果が得られる。
【手続補正３１】
【補正対象書類名】明細書
【補正対象項目名】０１１８
【補正方法】変更
【補正の内容】
【０１１８】
本出願の請求項９記載の紫外線殺菌装置によれば、枠部材の内側に反射板を配置する構成としたため、殺菌対象物から離れる方向に放射された紫外線を殺菌対象物側に反射させて紫外線による殺菌効率を高めることができると共に、一部の紫外線は殺菌対象物から離れる方向にそのまま放射させて殺菌対象物と反対側に位置する壁部等の紫外線殺菌を同時に行うことができる紫外線殺菌装置を提供することができるという効果が得られる。
【手続補正３２】
【補正対象書類名】明細書
【補正対象項目名】０１１９
【補正方法】変更
【補正の内容】
【０１１９】
本出願の請求項１０記載の紫外線殺菌装置によれば、殺菌室の開口部を開閉可能な上面板に筐体ホルダを設ける構成としたため、上面板を着脱することによってカバー筐体を殺菌室の所定位置に取り付けたり、取り外したりすることができ、紫外線発生源の交換等のメンテナンス作業を簡単に行うことができる紫外線殺菌装置を提供することができるという効果が得られる。
【手続補正３３】
【補正対象書類名】明細書
【補正対象項目名】０１２０
【補正方法】変更
【補正の内容】
【０１２０】
本出願の請求項１１記載の紫外線殺菌装置によれば、筐体ホルダに複数のフック部を設けると共にカバー筐体に係合ピンを設け、複数のフック部に対する係合ピンの係合位置を変える構成としたため、殺菌対象物の高さに応じてカバー筐体の高さ調整をワンタッチ操作で簡単に行うことができる紫外線殺菌装置を提供することができるという効果が得られる。